(57)【要約】【課題】  同一時間軸上に存在する複数の情報の関係性を条件として絞込み検索を可能とする情報検索装置及びその表示方法を提供する。【解決手段】  検索の基準Ａとなる基準データ２０を入力する基準データ表示部１３０と、検索条件となるイベント３０を入力するイベント表示部１４０と、基準データ２０とイベント３０とを１つの時間軸で表示するタイムライン部１１０と、検索式を入力する検索式表示部１５０と、検索結果を表示する検索内容表示部１６０とを１つの検索画面１００上に表示し、入力された基準データ２０を基準データ表示部１３０に表示するとともに、当該基準データ２０に対応する時間軸１１１と基点Ａの時間とをタイムライン部１１０に生成し、入力されたイベント３０をイベント表示部１４０に表示するとともに、タイムライン部１１０に基準データ２０の時間軸１１１に合わせたタイムライン１２０を生成し、入力された検索式を検索表示部１５０に表示するとともに、検索結果を検索表示部１６０に表示する。【選択図】  図１
2008250603.tif 000002
【特許請求の範囲】
【請求項１】
検索画面を表示する表示装置と、前記検索画面に検索条件を入力する入力装置と、前記検索条件に合致する情報を取得して前記検索画面に検索結果を表示する制御装置とを備え、同一時間軸上に存在する複数の情報の関係性を検索条件として検索を実行する情報検索装置の表示方法であって、
検索の基準となる基準データを入力する基準データ表示部と、検索条件となるイベントを入力するイベント表示部と、前記基準データと前記イベントとを１つの時間軸で表示するタイムライン部と、検索式を入力する検索式表示部と、検索結果を表示する検索内容表示部とを１つの表示画面上に備えた検索画面を表示し、
基準となる基準データの入力を受け付けて、前記基準データ表示部に表示するとともに、当該基準データに対応する時間軸と基点の時間とを前記タイムライン部に生成し、
検索条件となるイベントの入力を受け付けて、前記イベント表示部に表示するとともに、前記タイムライン部に前記基準データの時間軸に合わせたタイムラインを生成し、
前記検索式の入力を受け付けて前記検索表示部に表示するとともに、当該検索式での検索結果を前記検索表示部に表示する
ことを特徴とする情報検索装置の表示方法。
【請求項２】
請求項１に記載の情報検索装置の表示方法において、
前記検索画面に前記イベントの検索条件の詳細情報と検索条件の変更とを受け付けるイベント詳細表示部を表示し、
前記イベント詳細表示部に表示するイベントは、入力の受け付け時のイベントと、前記イベント表示部内で選択されたイベントである
ことを特徴とする情報検索装置の表示方法。
【請求項３】
請求項１または請求項2に記載の情報検索装置の表示方法において、
前記イベントを前記タイムライン部の各タイムラインに表示するに当たり、該イベントの時間条件を両端部にタイムライン変更ボタンを備えタイムバーとして表示し、
前記タイムライン変更ボタンの移動を受け付けて、該イベントの時間条件の変更を受け付ける
ことを特徴とする情報検索装置の表示方法。
【請求項４】
同一時間軸上に存在する複数の情報の関係性を検索条件として検索を実行する情報検索装置であって、
前記情報検索装置は、検索画面を表示する表示装置と、前記検索画面に検索条件を入力する入力装置と、前記検索条件に合致する情報を取得して前記検索画面に取得した検索結果を表示する制御装置とを備え、
前記検索画面は、検索の基準となる基準データを入力する基準データ表示部と、検索条件となるイベントを入力するイベント表示部と、前記基準データと前記イベントとを前記基準データの時間軸の基点に合わせて複数のタイムラインで表すタイムライン部と、検索式を入力する検索式表示部と、検索結果を表示する検索内容表示部とを１つの表示画面に備えている
ことを特徴とする情報検索装置。
【請求項５】
請求項４に記載の情報検索装置において、
前記イベントの検索条件の詳細情報と検索条件の変更とを受け付けるイベント詳細表示部を前記検索画面に備えた
ことを特徴とする情報検索装置。
【請求項６】
請求項４または請求項５に記載の情報検索装置において、
前記イベントは前記タイムライン上でタイムバーとして表示され、該タイムバーは両端部にタイムライン変更ボタンを備え、該タイムライン変更ボタンの移動を受け付けて、該イベントの時間条件の変更を受け付ける
ことを特徴とする情報検索装置。
【発明の詳細な説明】
【技術分野】
【０００１】
本発明は、同一時間軸上に存在する複数の情報の関係性を条件として絞込み検索を可能とする情報検索装置に関するものである。
【背景技術】
【０００２】
近年、膨大なデータを検索するために、各種の検索システムが実施されたり提案されている。これら多くの検索システムは、記憶装置やインターネット上に格納または閲覧可能に蓄積される各種データや検索サイトにパーソナルコンピュータなどの端末機を介してアクセスして検索可能としている。これらの検索システムでは、選択したデータベースに対して、端末機の表示画面上に検索式を設定する検索画面を表示させ、この検索式に基づいて前記データベースから条件に当てはまるデータを抽出することができる。
【０００３】
この検索画面は、複数の条件を設定する条件項目入力エリアと、これら複数の検索条件をａｎｄ条件またはｏｒ条件、更にはキーワードなどの検索式を入力する検索式エリアを備えたものが一般的である。
【０００４】
また、これら検索システムにおいてはスケジュールデータをベースに時間的な概念で検索可能としたシステムも提案されている。
【０００５】
また、映像を管理するシステムには、１つのタイムラインで複数のイベントが整理されたタイムライン部と、これら該当するイベントデータを１つの表示画面上に表示して映像を階層的に管理する階層的管理方法が提案されている。
【０００６】
【特許文献１】特開２００４−２５２９６２号公報
【特許文献２】特開２００１−３０６５９９号公報
【発明の開示】
【発明が解決しようとする課題】
【０００７】
病院などの医療現場では、電子カルテシステムなどの導入により、各種のデータが電子化されている。このため、この電子化されたデータを、診断に役立てたり、あるいは各種の分析に活用することが求められている。
【０００８】
しかしながら、例えば、患者の症例データは、ある症状が発症した患者さんを基準にした場合、この発症（イベント）に伴ってどのような投薬を行なったか、別の症状が併発したかなど、患者さんの病歴という同一時間軸上における様々な処置やイベントが現れる。したがって、このような患者の症例データは、患者に依存する時間軸に複数の情報（イベント）が存在するため、前後関係や連続期間、間隔期間などの、イベント同士の時間的な関係性を条件として絞込みを行なう検索システムが求められている。
【０００９】
しかしながら、従来の検索システムでは、独立した検索項目の組み合わせを検索条件とするものが主流となっており、前記した同一時間軸上に存在する複数の情報を条件として絞込み検索を行なうには、絶対的な時間指定でのみでしか実現できず、イベント間の相対的な時間指定を可能とする検索システムがなかった。
【００１０】
そこで、この発明の目的とするところは、同一時間軸上に存在する複数の情報の関係性を条件として絞込み検索を可能とする情報検索装置を提供することにある。
【課題を解決するための手段】
【００１１】
本発明では、前記目的を達成するために、検索画面を表示する表示装置と、前記検索画面に検索条件を入力する入力装置と、前記検索条件に合致する情報を取得して前記検索画面に検索結果を表示する制御装置とを備え、同一時間軸上に存在する複数の情報の関係性を検索条件として検索を実行する情報検索装置またはその表示方法であって、検索の基準となる基準データを入力する基準データ表示部と、検索条件となるイベントを入力するイベント表示部と、前記基準データと前記イベントとを１つの時間軸で表示するタイムライン部と、検索式を入力する検索式表示部と、検索結果を表示する検索内容表示部とを１つの表示画面上に備えた検索画面を表示し、基準となる基準データの入力を受け付けて、前記基準データ表示部に表示するとともに、当該基準データに対応する時間軸と基点の時間とを前記タイムライン部に生成し、検索条件となるイベントの入力を受け付けて、前記イベント表示部に表示するとともに、前記タイムライン部に前記基準データの時間軸に合わせたタイムラインを生成し、前記検索式の入力を受け付けて前記検索表示部に表示するとともに、当該検索式での検索結果を前記検索表示部に表示する。
【発明の効果】
【００１２】
本発明によれば、同一時間軸上に存在する複数の情報の関係性を条件として絞込み検索を可能とする情報検索装置を提供できる。
【発明を実施するための最良の形態】
【００１３】
以下、図１から図９を参照して、この実施の形態に係る情報検索装置を詳細に説明する。ここで、図１から図８が第1の実施の形態を示し、図９が第２の実施の形態を示している。また、図１はこの実施の形態に係る情報検索装置の概略構成図である。図２は情報検索装置の動作フローチャート図である。図３から図９は画面遷移図である。なお、同一部位や矢印などは同一符号を持って示して重複した説明を省略する。
【００１４】
（第１の実施の形態）
先ず、図１を参照して、この情報検索装置の概略構造を説明する。図１において、この実施の形態に係る情報検索装置１は、極一般的なパーソナルコンピュータで実現することができる。図１に示す実施の形態では、情報処理装置本体２と、表示装置３と、座標指示装置であるマウス４と、文字や記号などの入力装置であるキーボード５とから構成される。情報処理装置本体２は、この情報検索装置１を統括的に制御するマイコンなどからなる制御装置６と、ハードデイスク装置などの記憶装置７と、ネットワークを介して外部システムのデータベースと接続するための通信装置８と、電源装置９とを含んで構成される。
【００１５】
この実施の形態に係る情報検索装置１によれば、制御装置６が、前記記憶装置７に格納された検索プログラムを呼び出して、前記表示装置３に検索ウインドウ１００を表示し、この検索ウインドウ１００にて検索条件と検索式の入力を受け付けて、前記記憶装置７に格納されたデータベースあるいは外部のデータベースと接続し、これらデータベースから前記検索条件に見合った各種の検索結果を前記検索ウインドウ１００内に表示することができる。
【００１６】
そして、この情報検索装置１の大きな特徴の１つは、同一時間軸上に存在する複数のイベントを格納したデータベースに最適な検索システムとした点にある。即ち、この情報検索装置１が使用するデータベースでは、必ず時間データを備えた複数のイベントデータから構成される。例えば、このデータベースでは、特定の患者の病歴の時間軸に対して、病気の発生や入院、手術、投薬などのイベントが時間データとともに格納される。
【００１７】
また、この情報検索装置１の他の大きな特徴の１つは、検索条件のベースとなる１つの基準データ２０を設定し、この基準データ２０の時間軸上の基点Ａに対して、この基点Ａとの時間を含む複数のイベント３０を検索条件として設定することを特徴とする。例えば、この情報検索装置１では、糖尿病などの特定の病気を基準データ２０として、その発症時間を時間軸の基点Ａに設定する。そして、この基点Ａに対して、関連する病気などのイベント３０が発症した時間が前記基点Ａに対してどのくらいの時間を要したかの時間的条件を含んで検索条件として設定する。
【００１８】
また、この情報検索装置１の他の大きな特徴の１つは、複数の時間軸からなるタイムライン部１１０と、基準データ２０を表示する基準データ表示部１３０と、この基準データ２０に対する検索条件のイベント３０を表示するイベント表示部１４０と、検索条件のイベントの詳細データを表示するイベント詳細表示部１７０と、ａｎｄまたはｏｒの検索式を設定・表示する検索式表示部１５０と、検索結果を表示する検索結果表示部１６０とを１つの検索ウインドウ（検索画面）１００に設けた点にある。
【００１９】
即ち、タイムライン部１１０は、１つの基準タイムライン１１１に対して複数のイベントタイムライン１１２（１１２ａ、１１２ｂなど）が並設して構成される。基準タイムライン１１１は、所定の位置に基点Ａが設定され、一方に基点から見た過去、他方に基点から見た未来が設定される。また、イベントタイムライン１１２は、イベントを設定した順に基準タイムライン１１１に近い順に割り当てられ、各イベントタイムライン１１２ａなどには、割り当てられたイベントの時間軸条件を設定するためのタイムバー１１３が表示される。そして、このタイムバー１１３の端部を移動設定することで、該当するイベントの時間軸の条件を設定入力することができる。
【００２０】
このタイムライン部１１０によれば、複数のイベントが同一時間軸上に存在する複数の情報として並べて表示されるので、検索条件を把握するに当たり、その関連性を視覚的には把握し易く表示することができる。
【００２１】
また、基準データ表示部１３０は、基準となる基準データ２０を他のイベント３０と分離して表示することができる表示エリアである。この基準データ２０は、条件ボタン１３１で開く選択ウインドウから選択できる。一方、検索条件となるイベント３０は、イベント表示部１４０に基準データ２０と分離して、その概要情報が一括で表示されるので、検索における基準と、検索条件とを容易に把握することができる。ここで、イベント表示部１４０への入力は、イベント＋ボタン１４１で開く選択ウインドウから選択することができ、また、イベント表示部１４０内に表示される各イベントはイベント−ボタン１４２で削除することができる。
【００２２】
また、イベント詳細表示部１７０は、イベント３０の入力時や、イベント表示部１４０でのイベントの選択に基づいて、その詳細情報を表示する。そして、このイベント詳細表示部１７０では、各イベントの具体的な検索条件を設定することができる。
【００２３】
また、検索式表示部１５０は、基準データ表示部１３０に表示される基準データ２０に対して、前記イベント表示部１４０に表示されるイベント３０をａｎｄまたはｏｒの検索条件を設定する入力表示エリアである。この実施の形態では、検索式をキーボード５で入力することができる。そして、制御装置６は、検索ボタン１５１の押下に基づいてこの検索式での検索を実行する。
【００２４】
また、検索結果表示部１６０は、前記検索条件での検索結果が表示されるエリアである。この検索結果表示部１６０は、検索回答数を表示する検索回答表示部１６１と、当該検索結果をリストやグラフで表示する検索内容表示部１６２と、検索内容表示部１６２の出力形式を指定する出力形式選択部１６３と、出力形式選択部１６３での指定内容で前記検索内容表示部１６２に検索結果を表示させる出力ボタン１６４とから構成される。
【００２５】
更に、この情報検索装置１の他の大きな特徴の１つは、１つの検索ウインドウ１００の片側に時間軸を上下方向とするタイムライン部１１０を配置し、この検索ウインドウ１００の他の片側に、上方より下方に向かって、基準データ表示部１３０、イベント表示部１４０、イベント詳細表示部１７０、検索式表示部１５０、検索結果表示部１６０を配置した使い易く、かつ視認性が良好な画面レイアウトにある。
【００２６】
この１つの検索ウインドウ１００によれば、検索からその結果の表示までを、画面の切り替えを行うことなく実行することができ、かつ、１つの時間軸で並べて配置されるタイムラインを見ながら、その検索操作を操作手順に沿って上方から下方に配置される各種ボタンを操作しながら進めることができる。
【００２７】
以下、図２の動作フローに基づいて、図３から図８の画面遷移を参照しながら、更に詳細に説明する。図２から図８において、制御装置６は、表示装置３の表示画面上に表示される図示しない起動アイコンが前記マウス４でクリック（選択操作）されると、図３に示す検索ウインドウ１００の初期画面１０１を表示する（ステップ５００）。この初期画面１０１は、具体的データは表示されずタイムライン部１１０や基準データ表示部１３０、イベント表示部１４０などの項目だけが表示される。ここで、検索ウインドウ１００の最上部には「症例検索システム」などのシステム名称と、このシステムを終了する終了キー１２９を備えたタイトルバー１２８が設けられている。
【００２８】
この初期画面１０１が表示されると、制御装置６は、基準となる基準データ２０の入力を受け付ける条件ボタン１３１がクリックされたか否かを監視している（ステップ５０２）。制御装置６は、図４で示すように、条件ボタン１３１がクリックされると、基準データ２０と成り得るデータが表示される選択ウインドウ１３２を表示する。この選択ウインドウ１３２には更にツリー構造の選択枝があればサブ選択ウインドウ１３３を更に表示させて選択枝を選択することができる（ステップ５０４）。例えば、制御装置６は、このサブ選択ウインドウ１３３から「糖尿病の発症」が選択されると、図５で示すように、この「糖尿病の発症」を基準データ表示部１３０に表示するとともに、このデータを内部メモリに格納する（ステップ５０６）。ここで、基準データ２０は１個を前提としているので、前記ステップ５０６の後にステップ５０２から５０６の操作を行うことができ、この場合、制御装置６は基準データ２０が修正されたと判定する。
【００２９】
次に、制御装置６はイベント＋ボタン１４１がクリックされたか否かを監視する（ステップ５０８）。このイベント＋ボタン１４１がクリックされると、図４で説明した選択ウインドウ１３２やサブ選択ウインドウ１３３と同様な図示しない選択ウインドウを表示してイベント条件の受け付けを行う（ステップ５１０）。
【００３０】
図６（ａ）で示すように、最初のイベント３０が選択されると、イベント条件の設定と表示を行う（ステップ５１２）。具体的には、例えば、最初のイベント３０として、「イベントＢ発生」が選択されると、制御装置６は、先ず、イベント表示部１４０に連続番号付で選択されたイベント名称を表示する。そして、タイムライン部１１０のイベントタイムライン１１２ａに予め設定されたタイムバー１１３を表示し、更に、イベント詳細表示部１７０に「イベントＢ発生」の詳細設定表示ボタン群１７１を表示する。
【００３１】
つまり、この実施の形態では、選択されたイベント３０は、時間設定をタイムライン部１１０で設定し、時間以外の詳細設定をイベント詳細表示部１７０の詳細設定表示ボタン群１７１で設定することができる。この実施の形態では、初期状態においては予め設定された設定値で表示する。そして、これらの初期設定値は、各タイムライン部１１０とイベント詳細表示部１７０で変更することができ、変更された設定値はリアルタイムで表示されるようになっている。
【００３２】
即ち、タイムバー１１３の両端部には円形のタイムライン変更ボタン１１４が設けられており、図６（ａ）の状態からこのタイムライン変更ボタン１１４をドラッグし、図６（ｂ）で示すように、イベントタイムライン１１２ａの任意の位置に移動されると（ステップ５１４）、制御装置６は、イベント３０の時間条件が変更されたと判定し、選択されたイベント３０の時間条件として設定する（ステップ５１６）。
【００３３】
また、この実施の形態では、制御装置６が選択されたイベントに対応して記憶装置７に格納された様々な詳細設定表示ボタン群１７１を表示する。例えば、図６（ａ）の状態では、「イベントＢ発生」として片側に数値表示部１７２、他の片側に数値設定部１７３とスイッチ群１７５が設けられる。制御装置６は、イベント詳細変更ボタンである数値設定部１７３がクリックされたか否かを監視し（ステップ５１８）、数値設定部１７３の上限設定部と下限設定部の夫々のプルダウンボタンから任意の数値を設定することで、図６（ｂ）で示すように、検索条件内容を変更することができる。そして、この設定値は、対応する変更数値が数値表示部１７２に反映されてリアルタイムで表示される（ステップ５２０）。ここで、スイッチ群１７５は、変更された数値を受け付けるＯＫボタンと、数値を元に戻すキャンセルボタンと、変更された数値を全てに適用する適用ボタンとから構成される。
【００３４】
また、制御装置６は、イベント−ボタン１４２がクリックされたか否かも監視している（ステップ５２２）。イベント−ボタン１４２がクリックされると、制御装置６は、イベント表示部１４０内で選択状態にあるイベント３０の削除を実行する（ステップ５２４）。この削除の際には、ガイダンスを表示して、削除の再確認を行う。
【００３５】
更に、制御装置６は、イベント表示部１４０に複数のイベント３０が表示されている場合、他のイベント３０が選択さたか否かを監視している（ステップ５２６）。制御装置６は、他のイベント３０が選択されるとイベント詳細表示部１７０の詳細設定表示ボタン群１７１を選択されたイベント３０に対応するものに変更する（ステップ５２８）。
【００３６】
この実施の形態では、イベント表示部１４０に入力されるイベント３０の何れか１つが選択状態となっており、その選択状態のイベント３０の詳細内容は、イベント詳細表示部１７０に表示される。図６に示す状態では、１つのイベント３０が入力された状態であるが、図７のように、複数のイベント３０が入力された状態では、イベント表示部１４０に表示される他のイベント３０を選択することにより、イベント詳細表示部１７０に詳細内容を表示することができるので、この詳細設定値を変更したり、あるいは、このイベント自体を削除することができる。
【００３７】
次に、制御装置６は、マウス４で検索式表示部１５０がクリックされ、キーボード５を介して検索式が入力されたか否かを監視している（ステップ５３０）。検索式が入力されると、当該検索式を内部メモリに格納する（ステップ５３２）。
【００３８】
一方、検索式が入力されないでステップ５０８に戻すので、再びイベント＋ボタン１４１を操作して複数のイベント３０を設定することができる。図７（ａ）は複数のイベント３０を入力した状態を示しており、図７（ｂ）は検索式を検索式表示部１５０に設定した状態を示している。
【００３９】
制御装置６は、検索ボタン１５１がクリックされたか否かを監視しており（ステップ５３４）、図７（ｂ）の状態から検索ボタン１５１がクリックされると、検索式が有効か否かを判定し（ステップ５３６）、検索式が有効でない場合は、警告のガイダンスを表示して検索式の再入力を受け付ける。一方、検索式が有効である場合は、図８で示すように、所定のデータベースにアクセスし、その結果を検索結果表示部１６０にリアルタイムで表示する。この実施の形態では、初期状態においては検索回答表示部１６１にヒットした件数を表示する（ステップ５３８）。この状態で、出力形式選択部１６３のプルダウンからリスト表示やグラフ表示などの検索内容表示部１６２に表示する検索結果の出力形式を設定することができる（ステップ５４０）。出力形式選択部１６３で設定した出力形式は、制御装置６が出力ボタン１６４の操作を受け付けると（ステップ５４２）、検索内容表示部１６２にリアルタイムで表示する（ステップ５４４）。
【００４０】
なお、この実施の形態では、初期値として、出力形式選択部１６３の出力形式を予め設定することができる。このようにすれば、検索ボタン１５１の操作で、検索結果を検索内容表示部１６２に表示させることができるし、出力形式選択部１６３で出力形式の変更を受け付けて出力ボタン１６４の操作で検索内容表示部１６２の表示内容を変更した出力形式で再表示させることができる。
【００４１】
そして、この実施の形態では、制御装置６は、終了ボタン１２９がクリックされたか否かを監視しており（ステップ５４６）、終了ボタン１２９がクリックされると、警告表示を行って、この検索システムを終了し、終了ボタン１２９がクリックされなければステップ５０８に戻って、イベント条件の追加や削除、あるいは変更を行うことができる。
【００４２】
（第２の実施の形態）
次に、この情報検索装置の第２の実施形態を、図９を参照して説明する。この実施の形態は、イベント詳細表示部１７０ａには、選択されたイベントの詳細情報のみを表示し、時間条件や詳細設定値は、タイムライン部１１０の各イベントタイムライン１１２に表示したタイムバー１１３をクリックすることによって表示される吹出部１８０で行うものである。
【００４３】
前記イベント詳細表示部１７０ａには、数値表示部１７２と詳細情報表示欄１７４が設けられており、この数値表示部１７２と詳細情報表示欄１７４に集約された情報を見ることにより、イベント３０の詳細情報を知ることができるので、検索画面の視認性を向上することができる。また、タイムライン部１１０の吹出部１８０内に時間条件や詳細設定を集約することで、検索画面の操作性を向上することができる。本実施形態では、吹出部１８０内に、数値表示部１７２と数値設定部１７３とスイッチ群１７５等を設けた構成としている。
【図面の簡単な説明】
【００４４】
【図１】第１の実施の形態に係る情報検索装置の概略構成図である。
【図２】第１の実施の形態に係る情報検索装置の動作フローチャート図である。
【図３】第１の実施の形態に係る情報検索装置の画面遷移図である。
【図４】第１の実施の形態に係る情報検索装置の画面遷移図である。
【図５】第１の実施の形態に係る情報検索装置の画面遷移図である。
【図６】第１の実施の形態に係る情報検索装置の画面遷移図である。
【図７】第１の実施の形態に係る情報検索装置の画面遷移図である。
【図８】第１の実施の形態に係る情報検索装置の画面遷移図である。
【図９】第２の実施の形態に係る情報検索装置の画面遷移図である。
【符号の説明】
【００４５】
１…情報検索装置、２…情報処理装置本体、３…表示装置、４…マウス、５…キーボード、６…制御装置、７…記憶装置、８…通信装置、９…電源装置、２０…基準データ、３０…イベント、１００…検索ウインドウ、１０１…初期画面、１１０…タイムライン部、１１１…基準タイムライン、１１２…イベントタイムライン、１１３…タイムバー、…１１４タイムライン変更ボタン、１２８…タイトルバー、１２９…終了キー、１３０…基準データ表示部、１３１…条件ボタン、１３２…選択ウインドウ、１３３…サブ選択ウインドウ、１４０…イベント表示部、１４１…イベント＋ボタン、１４２…イベントーボタン、１５０…検索式表示部、１５１…検索ボタン、１６０…検索結果表示部、１６１…検索回答表示部、１６２…検索内容表示部、１６３…出力形式選択部、１６４…出力ボタン、１７０…イベント詳細表示部、１７１…詳細設定表示ボタン群、１７２…数値表示部、１７３…数値設定部、１７４…詳細情報表示欄、１７５…スイッチ群、１８０…吹出部、Ａ…基点。
【図１】
2008250603.tif 000003
【図２】
2008250603.tif 000004
【図３】
2008250603.tif 000005
【図４】
2008250603.tif 000006
【図５】
2008250603.tif 000007
【図６】
2008250603.tif 000008
【図７】
2008250603.tif 000009
【図８】
2008250603.tif 000010
【図９】
2008250603.tif 000011